【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
キャリッジを駆動するキャリッジ駆動手段と、
記録媒体の搬送のために駆動する搬送駆動手段と、
所定条件を満たしたときに前記キャリッジ駆動手段又は搬送駆動手段に休止を付与することによって駆動を制限する制限手段と、
前記搬送駆動手段の駆動中に前記キャリッジ駆動手段を駆動することで、前記記録媒体の給紙と排紙とを重ね合わせる制御手段とを備え、
前記制御手段は、前記記録媒体の搬送時に、前記キャリッジ駆動手段及び搬送駆動手段のうち一方に前記制限が加えられていれば、他方側の駆動を少なくとも前記休止が終わるまで待機させることを特徴とする記録媒体の搬送制御装置。
【請求項２】
キャリッジを駆動するキャリッジ駆動手段と、
記録媒体の搬送のために駆動する搬送駆動手段と、
所定条件を満たしたときに前記キャリッジ駆動手段又は搬送駆動手段に休止を付与することによって駆動を制限する制限手段と、
前記搬送駆動手段の駆動中に前記キャリッジ駆動手段を駆動することで、前記記録媒体の給紙と排紙とを重ね合わせる制御手段とを備え、
前記制御手段は、前記制限を加える条件下となっても、前記記録媒体の搬送時であれば該制限を無視して前記キャリッジ駆動手段及び搬送駆動手段を駆動させることを特徴とする記録媒体の搬送制御装置。
【請求項３】
キャリッジを駆動するキャリッジ駆動手段と、
記録媒体の搬送のために駆動する搬送駆動手段と、
所定条件を満たしたときに前記キャリッジ駆動手段又は搬送駆動手段に休止を付与することによって駆動を制限する制限手段と、
前記搬送駆動手段の駆動中に前記キャリッジ駆動手段を駆動することで、前記記録媒体の給紙と排紙とを重ね合わせる制御手段とを備え、
前記制御手段は、前記記録媒体の搬送時に、前記キャリッジ駆動手段及び搬送駆動手段のうち一方に前記制限が加えられていれば、前記キャリッジ駆動手段と前記搬送駆動手段との動作を該動作が互いに重ならないシーケンス制御に切り換えることを特徴とする記録媒体の搬送制御装置。
【請求項４】
前記キャリッジの移動経路上に位置した被操作部を有し、前記被操作部が前記キャリッジによって操作されることにより、前記記録媒体を供給する供給機構と前記搬送駆動手段とを接続状態にするクラッチ手段を備えたことを特徴とする請求項１〜３のうちいずれか一項に記載の記録媒体の搬送制御装置。
【請求項５】
前記キャリッジ駆動手段に前記制限が加えられたとき、前記制御手段は前記制限手段による前記休止時に前記記録媒体の排出が終了すると前記搬送駆動手段の駆動を停止し、前記休止が解除されると前記記録媒体の供給を行うために前記搬送駆動手段を再駆動することを特徴とする請求項１又は４に記載の記録媒体の搬送制御装置。
【請求項６】
前記制御手段は前記搬送駆動手段による前記記録媒体の排出中に前記キャリッジ駆動手段を駆動することで、前記被操作部を操作させて前記記録媒体の排出及び供給を重ねる制御を実行することを特徴とする請求項４又は５に記載の記録媒体の搬送制御装置。
【請求項７】
前記キャリッジ駆動手段に前記制限が加えられたとき、前記制御手段は前記記録媒体の排出の時間と前記休止の時間とを比較し、前記休止の時間が前記排出の時間よりも長ければ、前記キャリッジ駆動手段にその分の休止を持たせることを特徴とする請求項３〜６に記載の記録媒体の搬送制御装置。
【請求項８】
前記制限とは、前記キャリッジ駆動手段又は搬送駆動手段の発熱が閾値を超えたとき、前記休止を付与して発熱を抑える発熱制限であることを特徴とする請求項１〜７のうちいずれか一項に記載の記録媒体の搬送制御装置。
【請求項９】
前記キャリッジの移動経路上の位置を検出する位置検出手段と、
前記搬送駆動手段の駆動数を検出する駆動数検出手段とを備え、
前記制御手段は、前記クラッチ手段を操作する際のキャリッジ移動に伴い、前記位置検出手段の検出値を基にキャリッジ位置が設定位置となった時点から、前記駆動数検出手段の検出値を基に前記搬送駆動手段の駆動数を計測し、その計測値に基づいて前記搬送駆動手段を停止して前記記録媒体の供給動作を停止することを特徴とする請求項４に記載の記録媒体の搬送制御装置。
【手続補正２】
【補正対象書類名】明細書
【補正対象項目名】０００７
【補正方法】変更
【補正の内容】
【０００７】
【課題を解決するための手段】
上記問題点を解決するために、請求項１に記載の発明では、キャリッジを駆動するキャリッジ駆動手段と、記録媒体の搬送のために駆動する搬送駆動手段と、所定条件を満たしたときに前記キャリッジ駆動手段又は搬送駆動手段に休止を付与することによって駆動を制限する制限手段と、前記搬送駆動手段の駆動中に前記キャリッジ駆動手段を駆動することで、前記記録媒体の給紙と排紙とを重ね合わせる制御手段とを備え、前記制御手段は、前記記録媒体の搬送時に、前記キャリッジ駆動手段及び搬送駆動手段のうち一方に前記制限が加えられていれば、他方側の駆動を少なくとも前記休止が終わるまで待機させることを要旨とする。
【手続補正３】
【補正対象書類名】明細書
【補正対象項目名】０００９
【補正方法】変更
【補正の内容】
【０００９】
請求項２に記載の発明では、キャリッジを駆動するキャリッジ駆動手段と、記録媒体の搬送のために駆動する搬送駆動手段と、所定条件を満たしたときに前記キャリッジ駆動手段又は搬送駆動手段に休止を付与することによって駆動を制限する制限手段と、前記搬送駆動手段の駆動中に前記キャリッジ駆動手段を駆動することで、前記記録媒体の給紙と排紙とを重ね合わせる制御手段とを備え、前記制御手段は、前記制限を加える条件下となっても、前記記録媒体の搬送時であれば該制限を無視して前記キャリッジ駆動手段及び搬送駆動手段を駆動させることを要旨とする。
【手続補正４】
【補正対象書類名】明細書
【補正対象項目名】００１１
【補正方法】変更
【補正の内容】
【００１１】
請求項３に記載の発明では、キャリッジを駆動するキャリッジ駆動手段と、記録媒体の搬送のために駆動する搬送駆動手段と、所定条件を満たしたときに前記キャリッジ駆動手段又は搬送駆動手段に休止を付与することによって駆動を制限する制限手段と、前記搬送駆動手段の駆動中に前記キャリッジ駆動手段を駆動することで、前記記録媒体の給紙と排紙とを重ね合わせる制御手段とを備え、前記制御手段は、前記記録媒体の搬送時に、前記キャリッジ駆動手段及び搬送駆動手段のうち一方に前記制限が加えられていれば、前記キャリッジ駆動手段と前記搬送駆動手段との動作を該動作が互いに重ならないシーケンス制御に切り換えることを要旨とする。
【手続補正５】
【補正対象書類名】明細書
【補正対象項目名】００２２
【補正方法】変更
【補正の内容】
【００２２】
この発明によれば、請求項１〜７のうちいずれか一項に記載の発明の作用に加え、キャリッジ駆動手段又は搬送駆動手段の発熱大きいときに、その発熱を抑えるために休止時間を持たせても、これら駆動手段による一連の動作に不具合は生じない。
請求項９に記載の発明では、請求項４に記載の発明において、前記キャリッジの移動経路上の位置を検出する位置検出手段と、前記搬送駆動手段の駆動数を検出する駆動数検出手段とを備え、前記制御手段は、前記クラッチ手段を操作する際のキャリッジ移動に伴い、前記位置検出手段の検出値を基にキャリッジ位置が設定位置となった時点から、前記駆動数検出手段の検出値を基に前記搬送駆動手段の駆動数を計測し、その計測値に基づいて前記搬送駆動手段を停止して前記記録媒体の供給動作を停止することを要旨とする。
【手続補正６】
【補正対象書類名】明細書
【補正対象項目名】００６９
【補正方法】変更
【補正の内容】
【００６９】
前記実施形態及び別例から把握できる技術的思想について、以下にその効果とともに記載する。
（１）キャリッジがキャリッジ駆動手段によって駆動され、記録媒体が搬送駆動手段によって搬送される記録媒体の搬送制御方法において、所定条件を満たしたときに制限手段によって前記キャリッジ駆動手段又は搬送駆動手段に休止を付与されて駆動が制限され、制御手段は前記搬送駆動手段の駆動中に前記キャリッジ駆動手段を駆動することで、前記記録媒体の給紙と排紙とを重ね合わせ、前記記録媒体の搬送時に、前記キャリッジ駆動手段及び搬送駆動手段のうち一方に前記制限が加えられていれば、他方側の駆動を少なくとも前記休止が終わるまで待機させることを特徴とする記録媒体の搬送制御方法。
【手続補正７】
【補正対象書類名】明細書
【補正対象項目名】００７０
【補正方法】変更
【補正の内容】
【００７０】
（２）キャリッジがキャリッジ駆動手段によって駆動され、記録媒体が搬送駆動手段によって搬送される記録媒体の搬送制御方法において、所定条件を満たしたときに制限手段によって前記キャリッジ駆動手段又は搬送駆動手段に休止を付与されて駆動が制限され、制御手段は前記搬送駆動手段の駆動中に前記キャリッジ駆動手段を駆動することで、前記記録媒体の給紙と排紙とを重ね合わせ、前記制限を加える条件下となっても、前記録媒体の搬送時であれば該制限を無視して前記キャリッジ駆動手段及び搬送駆動手段を駆動させることを特徴とする記録媒体の搬送制御方法。
【手続補正８】
【補正対象書類名】明細書
【補正対象項目名】００７１
【補正方法】変更
【補正の内容】
【００７１】
（３）キャリッジがキャリッジ駆動手段によって駆動され、記録媒体が搬送駆動手段によって搬送される記録媒体の搬送制御方法において、所定条件を満たしたときに制限手段によって前記キャリッジ駆動手段又は搬送駆動手段に休止を付与されて駆動が制限され、制御手段は前記搬送駆動手段の駆動中に前記キャリッジ駆動手段を駆動することで、前記記録媒体の給紙と排紙とを重ね合わせ、前記記録媒体の搬送時に、前記キャリッジ駆動手段及び搬送駆動手段のうち一方に前記制限が加えられていれば、前記キャリッジ駆動手段と前記搬送駆動手段との動作を該動作が互いに重ならないシーケンス制御に切り換えることを特徴とする記録媒体の搬送制御方法。